(57)【要約】【課題】タッチパネルを利用して視覚障害者と健常者との間のコミュニケーションを図ることのできる操作入力装置及び情報処理装置を提供すること。【解決手段】画像処理装置（情報処理装置）１０は、タッチパネル６１、入力制御部５１、及び出力処理部５７を備える。前記タッチパネル６１は、複数箇所に対する同時操作を検出可能である。前記入力制御部５１は、前記タッチパネル６１による検出結果と予め設定された指点字パターンとに応じて文字情報を入力する。前記出力処理部５７は、前記入力制御部５１により入力された文字情報の印刷処理又は送信処理の少なくとも一方を実行可能である。【選択図】図１
2015064815.tif 000002
【特許請求の範囲】
【請求項１】
複数箇所に対する同時操作を検出可能なタッチパネルと、
前記タッチパネルによる検出結果と予め設定された指点字パターンとに応じて文字情報を入力する入力制御部と、
前記入力制御部により入力された文字情報の印刷処理又は送信処理の少なくとも一方を実行可能な出力処理部と、
を備える操作入力装置。
【請求項２】
前記出力処理部が、前記タッチパネルによる予め定められた数の同時操作の検出に応じて前記印刷処理と前記送信処理とを切換可能である請求項１に記載の操作入力装置。
【請求項３】
前記タッチパネルが、タッチ操作と押下操作とを区別して検出可能であり、
前記入力制御部が、予め定められた数の前記タッチ操作が同時に検出されている場合に、前記押下操作の検出結果と前記指点字パターンとに応じて文字情報を入力する請求項１又は２に記載の操作入力装置。
【請求項４】
前記入力制御部が、予め定められた数の前記タッチ操作が同時に検出された場合に、前記タッチ操作が行われたタッチ操作領域各々を前記タッチ操作領域の位置に応じてユーザーの各指に対応付けると共に、前記ユーザーの親指に対応する二つの前記タッチ操作領域の間隔が予め設定された閾値以下まで小さくなった場合に前記文字情報の入力を確定する請求項３に記載の操作入力装置。
【請求項５】
請求項１〜４のいずれかに記載の操作入力装置を備える情報処理装置。
【発明の詳細な説明】
【技術分野】
【０００１】
本発明は、ユーザー操作を受け付ける操作入力装置及びこれを備える情報処理装置に関する。
【背景技術】
【０００２】
従来から、視覚に障害を持った視覚障害者が指点字を利用して情報を入力することのできる装置が知られている（例えば特許文献１参照）。なお、指点字とは、指の打鍵パターンで文字を表現して会話するコミュニケーション手法である。また、指点字を利用して視覚障害者に情報を伝達することのできる装置も知られている（例えば特許文献２参照）。これらの装置は、健常者と視覚障害者との間でコミュニケーションを図るために有用である。
【先行技術文献】
【特許文献】
【０００３】
【特許文献１】特開２００１−１６６６８４号公報
【特許文献２】国際公開第０１／２４１４０号
【発明の概要】
【発明が解決しようとする課題】
【０００４】
しかしながら、上述の指点字専用の装置は特殊であるため、それらの装置を準備することはコストの観点から容易ではない。一方、複合機又はパーソナルコンピューターなどの情報処理装置には、健常者が利用する入出力インターフェイスとしてタッチパネルが多く利用されている。
【０００５】
本発明の目的は、タッチパネルを利用して視覚障害者と健常者との間のコミュニケーションを図ることのできる操作入力装置及び情報処理装置を提供することにある。
【課題を解決するための手段】
【０００６】
本発明の一の局面に係る操作入力装置は、タッチパネル、入力制御部、及び出力処理部を備える。前記タッチパネルは、複数箇所に対する同時操作を検出可能である。前記入力制御部は、前記タッチパネルによる検出結果と予め設定された指点字パターンとに応じて文字情報を入力する。前記出力処理部は、前記入力制御部により入力された文字情報の印刷処理又は送信処理の少なくとも一方を実行可能である。
【０００７】
本発明の他の局面に係る情報処理装置は、操作入力装置を備える。前記操作入力装置は、タッチパネル、入力制御部、及び出力処理部を備える。前記タッチパネルは、複数箇所に対する同時操作を検出可能である。前記入力制御部は、前記タッチパネルによる検出結果と予め設定された指点字パターンとに応じて文字情報を入力する。前記出力処理部は、前記入力制御部により入力された文字情報の印刷処理又は送信処理の少なくとも一方を実行可能である。
【発明の効果】
【０００８】
本発明によれば、タッチパネルを利用して視覚障害者と健常者との間のコミュニケーションを図ることのできる操作入力装置及び情報処理装置が実現される。
【図面の簡単な説明】
【０００９】
【図１】図１は、本発明の実施形態に係る画像処理システムの構成図である。
【図２】図２は、本発明の実施形態に係る画像処理装置の構成図である。
【図３】図３は、本発明の実施形態に係る画像処理装置の操作表示部の要部拡大図。
【図４】図４は、図２に示される画像処理装置の操作表示部の平面図。
【図５】図５は、図２に示される画像処理装置で用いられる指点字情報及び操作対応情報の一例を示す図。
【図６】図６は、図２に示される画像処理装置で実行されるモード切替処理の手順の一例を示すフローチャート。
【図７】図７は、図２に示される画像処理装置で実行される指点字操作処理の手順の一例を示すフローチャート。
【図８】図８は、図２に示される画像処理装置で実行される指点字操作処理の手順の一例を示すフローチャート。
【図９】図９は、図２に示される画像処理装置で実行される受信表示処理の手順の一例を示すフローチャート。
【図１０】図１０は、図１に示される画像処理システムの情報端末で実行される文字情報送受信処理の手順の一例を示すフローチャート。
【図１１】図１１は、図２に示される画像処理装置で実行される指点字操作処理におけるタッチパネルの表示画面の一例を示す図。
【図１２】図１２は、図２に示される画像処理装置で実行される指点字操作処理におけるタッチパネルの表示画面の一例を示す図。
【図１３】図１３は、図２に示される画像処理装置で実行される指点字操作処理におけるタッチパネルの表示画面の一例を示す図。
【図１４】図１４は、図２に示される画像処理装置で実行される指点字操作処理におけるタッチパネルの表示画面の一例を示す図。
【発明を実施するための形態】
【００１０】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１１】
［画像形成システム１００］
図１に示すように、本実施形態に係る画像形成システム１００は、画像処理装置１０及び情報端末２０を備える。前記画像処理装置１０及び前記情報端末２０は、ＬＡＮ又はインターネットなどの通信網３０を介してデータ通信可能に接続されている。なお、前記画像形成システム１００には、前記画像処理装置１０及び前記情報端末２０各々が一又は複数接続可能である。
【００１２】
［情報端末２０］
図１に示すように前記情報端末２０は、制御部２１、通信Ｉ／Ｆ２２、操作部２３、表示部２４、及び記憶部２５を備えるパーソナルコンピューターである。また、前記情報端末２０は、携帯電話、スマートフォン、タブレット端末、又はＰＤＡであってもよい。
【００１３】
前記制御部２１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、各種の情報を記憶する揮発性の記憶部であり、前記ＣＰＵが実行する各種の処理の一時記憶メモリー（作業領域）として使用される。そして、前記制御部２１は、前記ＲＯＭに予め記憶された各種の制御プログラムを前記ＣＰＵで実行することにより前記情報端末２０を統括的に制御する。
【００１４】
前記通信Ｉ／Ｆ２２は、前記情報端末２０を有線又は無線で前記通信網３０に接続し、前記通信網３０を介して前記画像処理装置１０などの外部装置との間でデータ通信を実行する通信インターフェイスである。
【００１５】
前記操作部２３は、ユーザー操作に応じて前記制御部５に各種の情報を入力するキーボード及びマウスなどを含む。前記表示部２４は、前記制御部５からの制御指示に応じて各種の情報を表示する液晶ディスプレー又は有機ＥＬディスプレーなどを含む。
【００１６】
前記記憶部２５は、各種の情報を記憶するハードディスク又はＳＳＤなどの記憶装置である。具体的に、前記記憶部２５には、前記情報端末２０から前記画像処理装置１０を制御するためのプリンタードライバーと称される制御プログラムが記憶されている。そして、前記制御部２１は、前記プリンタードライバーに従って処理を実行することにより前記画像処理装置１０に画像形成処理又は画像読取処理などを実行させることが可能である。さらに、前記制御部２１は、前記プリンタードライバーに従って、後述の文字情報送受信処理（図１０参照）を実行可能である。
【００１７】
具体的に、前記制御部２１は、送信制御部２１１及び受信制御部２１２を含む。ここに、前記制御部２１は、前記ＣＰＵにより前記プリンタードライバーに従った各種の処理を実行することにより、前記送信制御部２１１及び前記受信制御部２１２として機能する。前記送信制御部２１１は、前記操作部２３に対してユーザーにより文字情報送信開始操作が行われた場合に、前記操作部２３により入力される文字情報をメッセージとして前記画像処理装置１０に送信する。前記受信制御部２１２は、前記画像処理装置１０から文字情報を受信した場合に、その文字情報を前記表示部２４に表示させる。
【００１８】
［画像処理装置１０］
一方、図１及び図２に示すように、前記画像処理装置１０は、ＡＤＦ１、画像読取部２、画像形成部３、給紙部４、制御部５、操作表示部６、記憶部７、及び通信Ｉ／Ｆ８などを備える複合機である。本実施形態では、前記制御部５及び前記操作表示部６を備える装置が本発明に係る操作入力装置の一例である。なお、前記画像処理装置１０は、本発明に係る情報処理装置の一例に過ぎない。例えば、プリンター、ファクシミリ装置、スキャナー、パーソナルコンピューター、又はタブレット端末なども本発明に係る情報処理装置の一例である。
【００１９】
前記ＡＤＦ１は、搬送ローラー１２各々を駆動させることにより、原稿載置部１１にセットされた原稿を前記画像読取部２による画像読取位置を通過させて排紙トレイ１３まで搬送させる原稿自動送り装置である。
【００２０】
前記画像読取部２は、原稿台２１、光源ユニット２２、ミラー２３、２４、光学レンズ２５、及びＣＣＤ（Charge Coupled Device）２６などを備える。前記原稿台２１は、前記画像読取部２の上面に設けられた原稿の載置部である。前記読取ユニット２２は、ＬＥＤ光源２２１及びミラー２２２を備え、副走査方向２Ａに移動可能である。
【００２１】
前記ＬＥＤ光源２２１は、前記副走査方向２Ａに垂直な主走査方向に沿って配列された多数の白色ＬＥＤを備える。前記ミラー２２２は、前記ＬＥＤ光源２２１から照射されて前記原稿台２１上の読取位置にある前記原稿の表面で反射した後の光を前記ミラー２３に向けて反射させる。そして、前記ミラー２２２で反射した光は、前記ミラー２３、２４によって前記光学レンズ２５に導かれる。前記光学レンズ２５は、入射した光を集光して前記ＣＣＤ２６に入射させる。前記ＣＣＤ２６は、前記光学レンズ２５から入射される光の受光量に応じた電気信号を前記原稿の画像データとして前記制御部５に入力する光電変換素子などを有する。
【００２２】
前記画像形成部３は、前記画像読取部２で読み取られた画像データ、又は外部のパーソナルコンピューター等の情報処理装置から入力された画像データに基づいて画像形成処理（印刷処理）を実行する電子写真方式の印刷装置である。具体的に、前記画像形成部３は、搬送部３０、感光体ドラム３１、帯電装置３２、露光装置（ＬＳＵ）３３、現像装置３４、転写ローラー３５、クリーニング装置３６、定着ローラー３７、加圧ローラー３８、及び排紙トレイ３９などを備える。
【００２３】
前記給紙部４は、前記画像処理装置１０に対して着脱可能な給紙カセット４１に収容された紙などのシートを前記画像形成部３に供給する。そして、前記画像形成部３に供給されたシートは、前記搬送部３０により前記感光体ドラム３１及び前記転写ローラー３５を経て前記定着ローラー３７及び前記加圧ローラー３８を通過した後、排紙トレイ３９に排出される。このとき、前記画像形成部３では、前記給紙部４から供給されて前記搬送部３０により搬送されるシートに画像を形成する画像形成処理が以下の手順で実行される。
【００２４】
まず、前記帯電装置３２によって前記感光体ドラム３１が所定の電位に一様に帯電される。次に、前記露光装置３３により前記感光体ドラム３１の表面に画像データに基づく光が照射される。これにより、前記感光体ドラム３１の表面に画像データに対応する静電潜像が形成される。そして、前記感光体ドラム３１上の静電潜像は前記現像装置３４によって磁性トナーにより現像（可視像化）される。なお、前記現像装置３４には、前記画像形成部３に着脱可能なトナーコンテナ３４Ａから磁性トナーが補給される。続いて、前記感光体ドラム３１に形成されたトナー像は前記転写ローラー３５によってシートに転写される。その後、シートに転写されたトナー像は、そのシートが前記定着ローラー３７及び前記加圧ローラー３８の間を通過する際に前記定着ローラー３７で加熱されて溶融定着する。なお、前記画像形成部３による前記画像形成処理後に前記感光体ドラム３１の表面に残存する前記磁性トナーは前記クリーニング装置３６によって除去される。
【００２５】
前記制御部５は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、各種の情報を記憶する揮発性の記憶部であり、前記ＣＰＵが実行する各種の処理の一時記憶メモリー（作業領域）として使用される。そして、前記制御部５は、前記ＲＯＭに予め記憶された各種の制御プログラムを前記ＣＰＵで実行することにより前記画像処理装置１０を統括的に制御する。
【００２６】
前記操作表示部６は、前記画像処理装置１０の外面に設けられている。前記操作表示部６は、ユーザー操作を受け付けて前記制御部５に情報を入力すると共に、前記制御部５からの制御指示に応じて各種の情報を表示する。
【００２７】
前記記憶部７は、各種の情報を記憶するＥＥＰＲＯＭ、ハードディスク、又はＳＳＤなどの記憶部である。具体的に、前記記憶部７には、前記制御部５に後述のモード切替処理（図６参照）、指点字操作処理（図７及び図８参照）、及び受信表示処理（図９参照）を実行させるための制御プログラムが記憶されている。また、前記記憶部７には、後述の指点字情報及び操作対応情報が記憶されている。
【００２８】
前記通信Ｉ／Ｆ８は、前記画像処理装置１０を有線又は無線で前記通信網３０に接続し、前記通信網３０を介して前記情報端末２０などの外部装置との間でデータ通信を実行する通信インターフェイスである。
【００２９】
［操作表示部６の構成］
次に、図３及び図４を参照しつつ、前記操作表示部６について説明する。
【００３０】
図３に示すように、前記操作表示部６は、タッチパネル６１及びハードキー６２を備える。前記タッチパネル６１は、各種の操作キーを表示させる液晶パネルなどの表示パネルを備えると共に、前記操作キーに対するユーザー操作を検出可能である。前記ハードキー６２は、テンキー及びスタートキーなどの各種の操作ボタンを含む。
【００３１】
例えば、前記タッチパネル６１は、静電容量の変化によりユーザーのタッチ操作の位置を検出する投影型静電容量方式のタッチパネルである。そして、前記タッチパネル６１は、複数箇所に対する同時操作を検出可能な多点検出機能（マルチタッチ機能）を有する。前記タッチパネル６１は、ユーザーのタッチ操作を検出すると、そのタッチ操作の検出位置各々を特定するためのタッチ操作信号を前記制御部５に入力する。なお、前記多点検出機能を有する投影型静電容量方式のタッチパネルは周知であるため、ここではその説明を省略するが、簡単には、縦横に配置されたマトリクス状の電極パターンにおいて指が触れた箇所で生じる静電結合を操作として検出する。もちろん、前記タッチパネル６１は、前記多点検出機能を具現することができれば静電容量型のタッチパネルに限らない。
【００３２】
また、図４に示すように、前記タッチパネル６１は、該タッチパネル６１のタッチ面の裏面側に配置された圧電シート６３を備える。なお、前記圧電シート６３は、前記タッチパネル６１において前記液晶パネルの表面又は裏面に配置される。ここで、前記圧電シート６３は、前記タッチパネル６１におけるタッチ操作の検出可能領域６１Ａ全体に位置対応して設けられており、格子状に配列された複数の部分領域６３Ａを有している。なお、図４に示す前記圧電シート６３の前記部分領域６３Ａの数は一例に過ぎず、例えば更に細かい前記部分領域６３Ａが前記圧電シート６３に設けられていてもよい。
【００３３】
ここに、前記圧電シート６３は、複数のシートが積載されることによって形成されている。前記シート各々には一つの前記部分領域６３Ａに対応する圧電素子が設けられている。そして、前記タッチパネル６１では、前記圧電シート６３の圧電素子各々に対して個別に電圧の印加が可能である。これにより、前記制御部５は、前記タッチパネル６１を制御することにより、前記圧電素子各々に電圧を印加させて前記部分領域６３Ａ各々を個別に振動させることが可能である。ここに、前記圧電シート６３が振動部の一例である。
【００３４】
さらに、前記タッチパネル６１では、前記部分領域６３Ａに対する予め定められた所定量以上の力の押下操作により前記圧電シート６３の圧電素子において発生する電圧を個別に検出可能である。そして、前記タッチパネル６１は、ユーザーの押下操作を検出すると、その押下操作の検出位置各々を特定するための押下操作信号を前記制御部５に入力する。これにより、前記制御部５は、前記タッチパネル６１で検出される前記部分領域６３Ａ各々に対する押下操作を個別に検出することが可能である。即ち、前記タッチパネル６１は、前記タッチパネル６１を押下する押下操作を、前記タッチパネル６１に軽く触れる程度のタッチ操作と区別して検出することが可能である。
【００３５】
なお、本実施の形態では、前記圧電シート６３を用いて複数の前記部分領域６３Ａを同時に振動させる機能と、複数の前記部分領域６３Ａの押下操作を同時に検出する機能とが実現される場合を例に挙げて説明するが、同様の機能を達成することができれば他の構成であってもよい。例えば、前記タッチパネル６１が、前記圧電シート６３に代えて、前記部分領域６３Ａ各々に対応する位置に配置された個別に配線接続された多数の圧電素子を備える構成も他の実施形態として考えられる。
【００３６】
そして、前記画像処理装置１０では、前記制御部５によって後述のモード切替処理（図６参照）及び指点字操作処理（図７及び図８参照）が実行されることにより、前記タッチパネル６１を用いた操作入力が行われる。また、前記制御部５は、前記タッチパネル６１の操作モードとして通常モードと指点字モードとを選択的に実行可能である。前記通常モードでは、前記制御部５は、前記タッチパネル６１に表示される操作キー各々の操作に応じて各種の操作入力を行う。一方、前記指点字モードでは、前記制御部５は、前記タッチパネル６１に対する予め定められた指点字パターンに従った押下操作に応じて各種の操作入力を行う。
【００３７】
具体的に、前記指点字パターンに従った操作入力を実現するため、前記記憶部７には、前記制御部５が前記指点字モードの実行時に参照する指点字情報及び操作対応情報が記憶されている。ここで、図５（Ａ）及び図５（Ｂ）を参照しつつ、前記指点字情報及び前記操作対応情報の一例について説明する。
【００３８】
図５（Ａ）に示すように、前記指点字情報では、「あ」、「い」、「う」、「え」、・・・及び「数符」、「１」、「２」、「３」、「４」、・・・などの文字と、指点字を用いた会話手法に従った指点字パターン（「○」が打鍵あり）とが対応付けられている。例えば、前記制御部５は、「数符」に対応する指点字パターンが入力された後、「１」に対応する指点字パターンが入力されることにより、数字「１」が入力されたと判断する。一方、前記制御部５は、「数符」に対応する指点字パターンが入力されることなく、「１」と同じ「あ」に対応する指点字パターンが入力されると、文字「あ」が入力されたと判断する。なお、前記指点字情報では、五十音及び数字の他にも、濁音、半濁音、拗音（キャ、ギャなど）、特殊音（ツァ、ティなど）、記号（句読点、中点、疑問符など）、英文記号、アルファベット、及び漢字などの各種の文字に対応する指点字パターンが記憶されている。
【００３９】
これにより、前記制御部５は、前記指点字情報に基づいて、前記タッチパネル６１で検出された打鍵パターンに一致する指点字パターンを特定し、その指点字パターンに対応する文字を入力することが可能である。また、前記制御部５は、前記指点字情報に基づいて、前記圧電シート６３の部分領域６３Ａ各々を前記指点字パターンに従って振動させることにより各種の文字をユーザーに通知することができる。
【００４０】
一方、図５（Ｂ）に示すように、前記操作対応情報では、前記タッチパネル６１に表示される操作画面ごとにおいて選択可能な操作入力の内容とその操作入力ごとに対応する前記指点字パターンの内容（操作コマンド）とが対応付けられている。例えば、表示画面「機能一覧」において、操作入力「原稿サイズ」に対応する前記指点字パターンは数字の「１」であることが定められており、別の表示画面「排紙先」において、操作入力「内部トレイ」に対応する前記指点字パターンは数字の「１」であることが定められている。
【００４１】
これにより、前記制御部５は、前記操作対応情報に基づいて、前記タッチパネル６１で検出された打鍵パターンに一致する指点字パターンを特定し、その指点字パターンに対応する操作入力を抽出することが可能である。例えば、表示画面「機能一覧」において、数字の「１」に対応する前記指点字パターンの操作が行われた場合、前記制御部５は、操作入力「原稿サイズ」に対応する操作入力があったと判断する。また、前記制御部５は、前記指点字情報及び前記操作対応情報に基づいて、前記圧電シート６３の部分領域６３Ａ各々を前記指点字パターンに従って振動させることにより、前記タッチパネル６１の操作に関する操作情報及び前記画像処理装置１０の動作に関する情報などをユーザーに通知することができる。
【００４２】
［制御部５の機能］
そして、前記画像処理装置１０では、前記制御部５が、図１に示すように、入力制御部５１、表示制御部５２、照合処理部５３、ログイン処理部５４、ログアウト処理部５５、振動制御部５６、及び出力処理部５７を含む。ここに、前記制御部５は、前記ＣＰＵにより前記制御プログラムに従った各種の処理を実行することにより、前記入力制御部５１、前記表示制御部５２、前記照合処理部５３、前記ログイン処理部５４、前記ログアウト処理部５５、前記振動制御部５６、及び前記出力処理部５７として機能する。なお、前記入力制御部５１、前記表示制御部５２、前記照合処理部５３、前記ログイン処理部５４、前記ログアウト処理部５５、前記振動制御部５６、及び前記出力処理部５７の一部又は全部が回路モジュールであってもよい。
【００４３】
前記入力制御部５１は、前記タッチパネル６１による検出結果と前記指点字パターンとに応じて文字を入力する。具体的に、前記入力制御部５１は、前記タッチパネル６１による検出結果と前記記憶部７に記憶された前記指点字情報とに応じて、前記指点字パターンに対応する文字を入力する。
【００４４】
前記表示制御部５２は、前記通信網３０を介して接続された前記情報端末２０などの情報処理装置から受信する文字情報を、前記指点字パターンに従った前記圧電シート６３の前記部分領域６３Ａ各々の振動によって表示する。具体的に、前記入力制御部５１は、前記文字情報と、前記記憶部７に記憶された前記指点字情報とに応じて前記部分領域６３Ａ各々を振動させる。
【００４５】
前記照合処理部５３は、前記入力制御部５１により入力された文字情報と予め設定されたユーザー各々の認証情報とを照合する。即ち、前記照合処理部５３は、ユーザーの認証処理の際に、前記タッチパネル６１を用いて行われる指点字パターンに従った操作入力を受け付けることが可能である。
【００４６】
なお、本実施の形態では、前記指点字モードにおいてのみ、前記指点字パターンに従った文字入力によりユーザーの認証処理が実行される場合を例に挙げて説明するが、これに限らない。即ち、前記画像処理装置１０において、前記制御部５が、前記タッチパネル６１の操作モードが前記指点字モードでない場合であっても、ログイン手法の一つとして前記指点字パターンに従った文字入力を用いてユーザーの認証処理を実行可能であることが考えられる。これにより、健常者が操作する場合であっても、他人に見られることなく、ユーザー認証のための文字情報を入力することが可能である。
【００４７】
前記ログイン処理部５４は、前記照合処理部５３により前記文字情報と前記認証情報とが一致していると判断された場合に前記認証情報に対応する前記ユーザーをログインさせる。
【００４８】
また、前記ログアウト処理部５５は、前記ユーザーのログイン状態において、前記タッチパネル６１においてユーザーの親指に対応する二つの操作領域の間隔が予め設定された閾値以上の状態から前記閾値未満の状態に変化したことを条件に前記ユーザーをログアウトさせることが可能である。即ち、ユーザーが両手の親指を合わせる動作を行うことにより前記ログアウトが実行される。但し、前記ログアウト処理部５５は、前記タッチパネル６１を用いて文字の入力が行われている場合には、前記親指に対応する二つの操作領域の間隔が前記閾値未満の状態に変化した場合であってもログアウトを実行しない。前記タッチパネル６１を用いて文字の入力が行われている場合には、同操作により前記入力制御部５１が現在入力中の文字を確定させるためである。
【００４９】
前記振動制御部５６は、前記ログイン処理部５４による前記ユーザーのログインの成功又は失敗を、予め定められた前記指点字パターンに従った前記圧電シート６３の前記部分領域６３Ａ各々の振動で表す。これにより、視覚障害者が、ログイン操作の実行結果を認識することが可能である。
【００５０】
前記出力処理部５７は、前記入力制御部により入力された文字情報の印刷処理及び送信処理を実行可能である。なお、前記出力処理部５７が、前記入力制御部により入力された文字情報の印刷処理及び送信処理のいずれか一方のみを実行可能な構成も他の実施形態として考えられる。
【００５１】
［画像処理システム１００の処理］
以下、図６〜１０のフローチャートに従って、前記画像処理システム１００において、前記画像処理装置１０の前記制御部５及び前記情報端末２０の前記制御部２１によって実行される各種の処理について順に説明する。また、図１１〜図１４は、前記各種の処理における操作例を示す図であり、以下の説明において適宜参照する。なお、前記制御部５とは別に前記操作表示部６に制御部が設けられている場合は、当該制御部が前記制御部５に代わって各種の処理を実行してもよい。
【００５２】
［モード切替処理］
ここに、図６は、前記制御部５によって実行されるモード切替処理の手順の一例を示すフローチャートである。
【００５３】
＜ステップＳ１＞
ステップＳ１において、前記制御部５は、前記タッチパネル６１から入力される前記タッチ操作信号に基づいて、前記タッチパネル６１に対して同時に任意の１０点のタッチ操作（以下、「切替操作」と称する）が行われているか否かを判断する。このとき、前記制御部５は、前記タッチパネル６１における検出可能領域６１Ａ全体において前記切替操作の有無を判断する。これにより、前記タッチパネル６１における予め定められた位置に対して前記切替操作を行う必要がないため、視覚障害者は前記切替操作を容易に行うことができる。
【００５４】
ここに、図１１（Ａ）は、前記タッチパネル６１に表示されるコピー処理に対応する機能一覧画面を示す図であり、図１１（Ｂ）は、前記タッチパネル６１に対してユーザーにより１０点のタッチ操作が同時に行われている状態を示す図である。なお、図１１〜図１４において、前記タッチパネル６１に対してタッチ操作が行われている箇所（中抜きの○印）をタッチ操作領域６１１、前記タッチパネル６１に対して押下操作が行われている箇所（塗りつぶしの○印）を押下操作領域６３１と称する。なお、前記タッチ操作領域６１１及び前記押下操作領域６３１各々は、前記タッチパネル６１に対する操作箇所及びその近傍の範囲（例えば操作箇所を中心とする半径５ｍｍの領域）を含む。
【００５５】
ここで、前記タッチパネル６１において前記切替操作が行われていないと判断した場合（Ｓ１のＮｏ側）、前記制御部５は処理をステップＳ２に移行させる。一方、前記タッチパネル６１において前記切替操作が行われていると判断した場合（Ｓ１のＹｅｓ側）、前記制御部５は処理をステップＳ１０１に移行させる。
【００５６】
なお、本実施の形態では、１０点の同時操作が検出されている場合に前記切替操作が行われていると判断する場合について説明するが、その数は１０点に限らず予め定められた二以上の数であればよい。但し、前記切替操作における同時操作数は、指点字に用いる指の数に相当する６点以上であることが望ましい。これにより、ユーザーの誤操作により前記タッチパネル６１の操作モードが前記通常モードから前記指点字モードに切り替わることが防止される。
【００５７】
＜ステップＳ２〜Ｓ４＞
ステップＳ２において、前記制御部５は、前記タッチパネル６１の操作モードとして通常モードを実行する。前記通常モードにおいて、前記制御部５は、前記タッチパネル６１において行われた各種の操作キーのタッチ操作に応じて（Ｓ３のＹｅｓ側）、その操作キーに対応する操作入力を実行する（Ｓ４）。その後、前記制御部５は、処理を前記ステップＳ１に戻す。このように、前記タッチパネル６１で１０点のタッチ操作が同時に検出されていない場合には、前記制御部５により前記通常モードが実行される。
【００５８】
＜ステップＳ１０１＞
一方、ステップＳ１０１において、前記制御部５は、前記タッチパネル６１の操作モードとして指点字モードを実行する。即ち、前記画像処理装置１０における前記タッチパネル６１の操作モードが前記通常モードから前記指点字モードに切り換えられる。その後、前記制御部５は、処理を前記ステップＳ１に戻す。このように、前記タッチパネル６１で１０点のタッチ操作が同時に検出されている場合には、前記制御部５により前記指点字モードが実行される。なお、前記指点字モードにおいて、１０点の同時操作が検出されなくなったときに（Ｓ１のＮｏ側）、前記画像処理装置１０がユーザーのログイン状態である場合、前記制御部５はそのユーザーをログアウトさせた後、前記操作モードを前記通常モードに切り換える。
【００５９】
［指点字操作処理］
そして、前記指点字モードでは、前記制御部５によって指点字操作処理（図７及び図８参照）が実行される。前記指点字操作処理では、前記制御部５が、前記操作表示部６の前記タッチパネル６１に対する指点字パターンに従った入力操作に応じた処理を実行する。即ち、前記指点字モードでは、前記タッチパネル６１に表示された操作キー各々のタッチ操作が行われた場合であっても、その操作キーに対応する操作入力が実行されない。以下、図７及び図８を参照しつつ、前記指点字操作処理について説明する。なお、前記制御部５は、前記モード切替処理及び前記指点字操作処理を略並行して実行する。
【００６０】
＜ステップＳ１１＞
ステップＳ１１において、前記制御部５は、前記タッチパネル６１により前記切替操作が検出された場合に、そのタッチ操作が行われた前記タッチ操作領域６１１各々を前記タッチ操作領域６１１の位置に応じてユーザーの各指に対応付ける。なお、前記タッチ操作領域６１１と前記指との対応関係は、前記制御部５の前記ＲＡＭ又は前記ＥＥＰＲＯＭなどの記憶部に記憶される。このとき、前記制御部５は、前記タッチパネル６１におけるタッチ操作の検出箇所及びその近傍を含む所定範囲（例えば検出箇所を中心とする半径５ｍｍの領域）の位置座標を前記タッチ操作領域６１１として記憶させる。このように前記タッチパネル６１における検出箇所の近傍の領域を前記タッチ操作領域６１１とすることにより、操作中におけるユーザーの各指の多少のズレが許容される。
【００６１】
また、前記ステップＳ１１において、前記タッチ操作領域６１１各々に対応する前記圧電シート６３の部分領域６３Ａを、前記タッチ操作領域６１１の位置に応じてユーザーの各指に対応付ける。具体的に、前記制御部５のＲＯＭ等には、前記タッチパネル６１における各位置座標と前記圧電シート６３の部分領域６３Ａとの対応関係が予め記憶されている。そして、前記制御部５は、前記対応関係に基づいて前記タッチ操作領域６１１各々の位置座標に対応する前記圧電シート６３の部分領域６３Ａを特定し、前記部分領域６３Ａ各々をユーザーの各指に対応付ける。
【００６２】
例えば、前記制御部５は、前記タッチパネル６１における左右方向の位置座標に応じて前記タッチ操作領域６１１各々をユーザーの各指に対応付ける。即ち、前記タッチ操作領域６１１のうち最も左に位置する前記タッチ操作領域６１１を左手の小指に対応付け、そこから順に右に位置する前記タッチ操作領域６１１各々を左手の薬指、中指、人差し指、親指、右手の親指、人差し指、中指、薬指、小指にそれぞれ対応付ける。
【００６３】
これにより、以下の処理において、前記制御部５は、前記タッチパネル６１に対する前記タッチ操作領域６１１各々のタッチ操作及び押下操作を、前記タッチ操作領域６１１に対応付けられた指による操作として認識することが可能である。また、前記制御部５は、前記指点字パターンに従って前記部分領域６３Ａ各々を振動させる際に、ユーザーの指各々に対応する前記部分領域６３Ａを特定することが可能である。
【００６４】
なお、ここで説明した対応付けの手法は、前記切替操作における同時操作数が１０点である場合に対応するものである。一方、例えば前記切替操作として判断される同時タッチ操作数が６点である場合、前記制御部５は、前記タッチ操作領域６１１のうち最も左に位置する前記タッチ操作領域６１１を左手の薬指に対応付け、そこから順に右に位置する前記タッチ操作領域６１１各々を左手の中指、人差し指、右手の人差し指、中指、薬指にそれぞれ対応付ける。
【００６５】
＜ステップＳ１２＞
次に、ステップＳ１２において、前記制御部５は、現在の操作モードが前記指点字モードである旨を、前記指点字パターンに従った前記圧電シート６３による一又は複数の前記部分領域６３Ａの振動によりユーザーに通知する。このとき、前記制御部５は、前記ステップＳ１１において行われた対応付けに基づいて、前記指点字パターンに従った一又は複数の指の位置に対応する前記部分領域６３Ａを振動させる。
【００６６】
具体的に、前記制御部５は、前記指点字情報に基づいて、「指点字モード」の各文字を前記指点字パターンに変換し、その指点字パターンに従って、前記ステップＳ１１で対応付けられたユーザーの指の位置にある前記部分領域６３Ａ各々の圧電素子を同時に振動させる。例えば、「ゆ」、「び」、「て」、「ん」、「じ」、「も」、「―」、「ど」のそれぞれの文字を前記指点字パターンに変換し、その指点字パターンに従ってユーザーの各指に対応する前記部分領域６３Ａ各々を順に振動させる。これにより、視覚障害者であるユーザーは、前記タッチパネル６１の操作モードが前記指点字モードに切り替えられたことを認識することができる。
【００６７】
＜ステップＳ１３＞
ステップＳ１３において、前記制御部５は、ログイン操作を実行するべき旨を伝えるためのログイン操作要求を、前記ステップ１２と同様に前記指点字パターンに従った前記圧電シート６３による一又は複数の前記部分領域６３Ａの振動によりユーザーに通知する。
【００６８】
具体的に、前記制御部５は、前記指点字情報に基づいて、「ログイン操作開始」の各文字を前記指点字パターンに変換し、その指点字パターンに従って前記ステップＳ１１で対応付けられたユーザーの指の位置にある前記部分領域６３Ａ各々の圧電素子を同時に振動させる。例えば、「ろ」、「ぐ」、「い」、「ん」、「そ」、「う」、「さ」、「か」、「い」、「し」のそれぞれの文字を前記指点字パターンに変換し、その指点字パターンに従ってユーザーの各指に対応する前記部分領域６３Ａ各々を順に振動させる。これにより、視覚障害者であるユーザーは、前記タッチパネル６１に対するログイン操作が必要である旨を認識することができる。なお、前記制御部５は、前記ログイン操作要求を前記画像処理装置１０に搭載されるスピーカー（不図示）を用いて音声によって通知することも考えられる。
【００６９】
＜ステップＳ１４＞
次に、ステップＳ１４において、前記制御部５は、前記タッチパネル６１による押下操作の検出結果と前記指点字パターンとに応じて文字を認証情報として入力する。具体的に、前記認証情報は、ユーザーを認証するために用いられるユーザーのＩＤ及びパスワードなどである。ここで、前記認証情報に対応する文字情報の入力時、前記制御部５は、前記認証情報を前記タッチパネル６１に表示させないことが考えられる。これにより、ユーザーが前記認証情報を入力する際に、前記認証情報が他人に見られることが防止される。なお、前記認証情報に対応する文字情報の入力が行われていない場合、前記制御部５は、前記タッチパネル６１により入力される文字情報を前記タッチパネル６１に表示させる。
【００７０】
例えば、前記制御部５は、前記タッチパネル６１に、図１２（Ａ）に示すような文字入力画面Ｄ１を表示させる。なお、健常者が前記通常モード及び前記指点字モードを識別するために前記文字入力画面Ｄ１を用いているが、視覚障害者が前記文字入力画面Ｄ１の内容を参照することはない。そのため、前記文字入力画面Ｄ１が表示されないことも他の実施形態として考えられる。
【００７１】
このとき、前記制御部５は、前記タッチパネル６１のタッチ操作ではなく押下操作に応じて文字を入力する。そのため、視覚障害者は、両手の指を前記タッチパネル６１に載せた状態で、前記指点字パターンに必要な指のみに力を入れて前記タッチパネル６１の押下操作を行うことにより文字を入力することができる。従って、前記指点字パターンによる文字入力に使用しない指を浮かせておく必要がなく、文字入力時における視覚障害者の負担が軽減される。
【００７２】
なお、前記指点字パターンの検出は、全く同時に行われた操作パターンに基づくものではなく、多少の誤差を許容するために予め設定された操作時間内に行われた操作パターンに基づいて行われる。例えば、左手の人差し指の押下操作が検出された後、０．５秒後に右手の中指の押下操作が検出された場合、前記制御部５は、その２本の指で同時に押下操作が行われたものとして前記指点字パターンを判断する。前記操作時間は、例えば前記画像処理装置１０の初期設定などにおいてユーザーの前記操作表示部６の操作に応じて前記制御部５により適宜設定される。
【００７３】
また、前記指点字パターンの中には、２度以上の連続した操作により一つのコマンドを表すものがある。例えば、数字「１」は、左手の薬指及び右手の人差し指、中指、薬指で操作する数符と称される指点字パターンと、左手の人差し指のみで操作する指点字パターンとをその順序で連続して操作することにより表される。そのため、前記指点字パターンの検出では、予め定められた検出間隔が経過するまでの操作が連続操作として判断される。前記検出間隔は、例えば前記画像処理装置１０の初期設定などにおいてユーザーの前記操作表示部６の操作に応じて前記制御部５により適宜設定される。これにより、視覚障害者は、前記圧電シート６３を用いて、２度以上の連続操作によって表される文字についても入力することができる。ここで、前記検出間隔は、前記操作時間よりも長いことが必要である。例えば、前記初期設定において前記検出間隔が前記操作時間よりも短くなる設定ができないように前記制御部５によって制御されることも考えられる。
【００７４】
ここに、図１３（Ａ）〜図１３（Ｄ）は、前記指点字モードにおける前記文字入力画面Ｄ１を用いた文字入力の操作例を示す図である。具体的に、図１３（Ａ）は、前記タッチパネル６１に対して左手の人差し指のみの押下操作が行われた場合であり、この場合には前記押下操作領域６３１の押下操作に対応する「あ」の文字が前記文字入力欄Ｄ１１に入力される。図１３（Ｂ）は、前記タッチパネル６１に対して左手の人差し指及び中指の二点操作が行われた場合であり、この場合には前記押下操作領域６３１の押下操作に対応する「い」の文字が前記文字入力欄Ｄ１１に入力される。図１３（Ｃ）は、前記タッチパネル６１に対して左手の人差し指及び右手の人差し指の二点操作が行われた場合であり、この場合には前記押下操作領域６３１の押下操作に対応する「う」の文字が前記文字入力欄Ｄ１１に入力される。図１３（Ｄ）は、前記タッチパネル６１に対して左手の人差し指、中指及び右手の人差し指の三点操作が行われた場合であり、この場合には前記押下操作領域６３１の押下操作に対応する「え」の文字が前記文字入力欄Ｄ１１に入力される。
【００７５】
なお、前記ステップＳ１４では、ユーザーのＩＤ及びパスワードの二つの項目が入力される。そこで、前記制御部５は、例えばユーザーのＩＤが入力された後、ユーザーの親指に対応する二つの前記タッチ操作領域６１１の間隔が前記閾値以下まで小さくなった場合に、ＩＤの入力を確定させてパスワードの入力待ち状態に遷移させることが考えられる。そして、前記制御部５は、ユーザーのパスワードの入力を受け付ける。なお、このように前記パスワードの入力を受け付ける際、前記制御部５は、その旨を前記タッチパネル６１の前記圧電シート６３の前記部分領域６３Ａ各々の振動によってユーザーに通知することが考えられる。
【００７６】
＜ステップＳ１５＞
そして、ステップＳ１５において、前記制御部５は、前記タッチパネル６１から入力される操作信号に基づいて、予め設定された確定操作が行われたか否かを判断する。具体的に、前記制御部５は、ユーザーの両手の親指に対応する二つの前記タッチ操作領域６１１の間隔が前記閾値以下まで小さくなった場合に前記確定操作が行われたと判断する。例えば、前記制御部５は、ユーザーの両手の親指に対応する前記タッチ操作領域６１１各々が接した場合に前記確定操作が行われたと判断する。
【００７７】
ここに、図１２（Ｂ）は、前記親指に対応する二つの前記タッチ操作領域６１１の間隔が前記閾値以下まで小さくなった状態を示している。このように、前記画像処理装置１０では、ユーザーは親指を近づけるという簡単で且つ誤検出の少ない操作手法により文字の入力を確定することができる。ここで、前記制御部５は、前記確定操作が行われたと判断すると（Ｓ１５のＹｅｓ側）、処理をステップＳ１６に移行させる。なお、前記制御部５は、前記確定操作が行われるまでの間は（Ｓ１５のＮｏ側）、処理を前記ステップＳ１４に移行させる。
【００７８】
＜ステップＳ１６＞
ステップＳ１６において、前記制御部５は、前記ステップＳ１４で入力された文字情報の入力を確定し、その文字情報と予め前記記憶部７に記憶されている前記認証情報とを照合する。このとき、前記制御部５は、前記照合結果が一致であれば、前記認証情報に対応するユーザーをログインさせる。なお、前記ユーザー情報は、前記画像処理装置１０における前記操作表示部６の操作により事前に前記制御部５によって前記記憶部７に登録されている。
【００７９】
その後、前記制御部５は、前記ユーザーのログイン状態であって、前記タッチパネル６１による文字入力の途中でない場合、前記タッチパネル６１においてユーザーの親指に対応する二つのタッチ操作領域６１１の間隔が前記閾値以上の状態から前記閾値未満の状態に変化したことを条件に前記ユーザーをログアウトさせる。
【００８０】
なお、前記画像処理装置１０では、前記タッチパネル６１による文字入力の確定操作とログアウト操作とが同様の操作によって行われるが、これらの操作方法として異なる操作方法が採用されてもよい。例えば、前記タッチパネル６１による文字入力の確定操作とログアウト操作とのいずれか一方が、前記タッチパネル６１における１０点の同時押下操作であることが考えられる。また、前記タッチパネル６１による文字入力の確定操作とログアウト操作とのいずれか一方が、親指を近づける操作が連続して二回行われる操作などであることも考えられる。
【００８１】
＜ステップＳ１７＞
ステップＳ１７において、前記制御部５は、前記ステップＳ１６における照合結果として、ユーザーのログインの成功又は失敗を前記ステップＳ１２と同様にユーザーに通知する。具体的に、前記制御部５は、前記指点字パターンに従った前記圧電シート６３による一又は複数の前記部分領域６３Ａの振動によって前記照合結果をユーザーに通知する。なお、前記制御部５は、前記照合結果を前記画像処理装置１０に搭載されるスピーカー（不図示）を用いて音声によって通知することも考えられる。
【００８２】
＜ステップＳ１８＞
ステップＳ１８において、前記制御部５は、前記照合結果が一致であったか否かを判断する。ここで、前記制御部５は、前記照合結果が一致であれば（Ｓ１８のＹｅｓ側）、処理をステップＳ１９に移行させ、前記照合結果が一致でなければ（Ｓ１８のＮｏ側）、処理を前記ステップＳ１４に戻す。
【００８３】
＜ステップＳ１９＞
ステップＳ１９において、前記画像処理装置１０で発生する各種の通知情報を、前記ステップＳ１２と同様にユーザーに通知する。具体的に、前記通知情報は、前記タッチパネル６１の現在の表示画面の内容、前記表示画面において実行可能な操作入力の内容、前記操作入力各々に対応する前記指点字パターンの内容、又はエラー通知の内容などである。なお、前記制御部５は、前記通知情報を前記画像処理装置１０に搭載されるスピーカー（不図示）を用いて音声によって通知することも考えられる。
【００８４】
例えば、前記タッチパネル６１に機能一覧の表示画面が表示されている場合（図１４（Ａ）参照）、前記制御部５は、「機能一覧」の文字を前記指点字パターンに変換し、その変換後の指点字パターンに従って前記圧電シート６３の部分領域６３Ａ各々を振動させることによりユーザーに通知する。続けて、前記制御部５は、前記表示画面「機能一覧」において実行可能な操作入力の内容である「原稿サイズ」、「原稿セット向き」、「原稿サイズ混載」、「排紙先」、及びその操作入力各々に対応する前記指点字パターンの内容を前記圧電シート６３の部分領域６３Ａ各々を振動させることによりユーザーに通知する。例えば、前記制御部５は、「１は原稿サイズ」、「２は原稿セット向き」、「３は原稿サイズ混載」、「４は排紙先」の各文字を前記指点字パターンに変換し、その指点字パターンに従ってユーザーの各指に対応する前記部分領域６３Ａ各々を順に振動させる。これにより、視覚障害者は、前記タッチパネル６１に表示された機能一覧の表示画面の内容、前記機能一覧の表示画面において実行可能な操作入力の内容、及び前記操作入力各々に対応する前記指点字パターンの内容（入力コマンド）を認識することができる。
【００８５】
また、前記画像処理装置１０で各種のエラーが発生した場合、前記制御部５は、前記エラーの内容を前記指点字パターンに変換し、その変換後の指点字パターンに従って前記圧電シート６３の部分領域６３Ａ各々を振動させることによりユーザーに通知する。なお、前記エラーには、例えば紙詰まり、紙切れ、及びトナー切れなどが含まれる。これにより、視覚障害者であっても、前記画像処理装置１０において現在発生しているエラーなどを把握することができる。なお、前記通常モードでは、前記画像処理装置１０で現在発生中のエラーやステータス情報などの前記画像処理装置１０の動作に関する所定の通知情報が、前記タッチパネル６１の上下端部などに表示され、或いは前記タッチパネル６１にエラー画面で表示される。
【００８６】
＜ステップＳ２０＞
その後、ステップＳ２０において、前記制御部５は、前記操作対応情報に含まれた前記指点字パターンのいずれかに対応する打鍵操作が前記圧電シート６３で検出されたか否かを判断する。具体的に、前記ステップＳ１１で対応付けられた前記部分領域６３Ａ各々の押下操作を前記部分領域６３Ａ各々に対応する指の打鍵操作として、その打鍵操作のパターンと前記操作対応情報の指点字パターンとの一致の有無を判断する。
【００８７】
ここで、前記操作対応情報の指点字パターンに対応する打鍵操作が行われたと判断すると（Ｓ２０のＹｅｓ側）、前記制御部５は、処理をステップＳ２０１に移行させる。一方、前記操作対応情報の指点字パターンに対応する打鍵操作が行われなければ（Ｓ２０のＮｏ側）、前記制御部５は、処理をステップＳ２１に移行させる。
【００８８】
＜ステップＳ２０１＞
ステップＳ２０１において、前記制御部５は、前記操作対応情報に基づいて、前記ステップＳ２０で前記圧電シート６３により検出された前記指点字パターンに従った押下操作に応じて各種の操作入力を行う。これにより、前記タッチパネル６１により１０点同時検出が行われている間、即ちユーザーが両手の指を前記タッチパネル６１に載置している間は、前記指点字モードにおける操作入力が前記制御部５によって実行される。
【００８９】
ここに、図１４（Ａ）及び図１４（Ｂ）は、前記指点字モードにおける操作入力の例を示す図である。図１４（Ａ）に示すように、前記タッチパネル６１に対して、左手の人差し指と右点の人差し指及び中指との押下操作が同時に行われると、前記制御部５は、「機能一覧」の表示画面における「排紙先」の操作入力の内容に対応する「１」の指点字パターンの押下操作が行われたと判断する。そして、前記制御部５は、数字「１」に対応する操作入力の内容である「排紙先」に対応する処理として、図１４（Ｂ）に示すように、前記タッチパネル６１の表示画面を「排紙先」に遷移させる。
【００９０】
なお、図１４（Ａ）では、数符の押下操作を省略した場合を示しているが、もちろん数符の押下操作を要する構成も考えられる。また、本実施の形態では、各種の操作入力に対応する数字の入力を、前記操作入力各々を実行するためのコマンドとして用いる場合について説明する。一方、前記制御部５が、前記操作入力各々の内容が前記指点字パターンに従って文字入力された場合に、その文字に対応する前記操作入力を実行することも考えられる。
【００９１】
＜ステップＳ２１＞
一方、ステップＳ２１において、前記制御部５は、前記タッチパネル６１から入力される前記押下操作信号に基づいて、前記圧電シート６３上の１０点の同時押下操作が２回連続して行われたか否かを判断する。ここで、１０点の同時押下操作が２回連続して行われたと判断した場合（Ｓ２１のＹｅｓ側）、前記制御部５は処理をステップＳ２２に移行させる。一方、１０点の同時押下操作が２回連続して行われていない場合（Ｓ２１のＮｏ側）、前記制御部５は処理を前記ステップＳ１９に戻す。
【００９２】
なお、本実施の形態では、前記ステップＳ２１、及び後述のステップＳ３１、Ｓ３７において、１０点の同時押下操作の有無が判断される場合について説明するが、その数は１０点に限らず前記指点字パターンにおける最大同時打鍵数よりも多い予め定められた任意の数であってもよい。例えば指点字では６点が最大同時打鍵数であるため、前記任意の数は６点よりも多い７点以上１０点以下であることが考えられる。
【００９３】
＜ステップＳ２２＞
そして、ステップＳ２２において、前記制御部５は、前記画像処理装置１０の動作モードを文字情報送信モードに移行させる。即ち、前記制御部５は、前記圧電シート６３上の１０点の同時押下操作の検出に応じて、前記画像処理装置１０の動作モードを文字情報送信モードに切り換える。ここに、係る処理は、前記制御部５の前記出力処理部５７によって実行される。前記文字情報送信モードは、前記タッチパネル６１を用いて入力する文字情報を、前記情報端末２０に送信するための動作モードである。例えば、前記文字情報送信モードは、視覚障害者が前記画像処理装置１０を使用している場合に、紙詰まりなどのエラーが生じた場合に前記情報端末２０を使用する他のユーザーに対してメッセージを送信するために使用される。また、前記文字情報送信モードは、視覚障害者が前記情報端末２０を使用する他のユーザーに対して、前記画像処理装置１０の操作などに関する質問又は相談などのメッセージを送信する場合にも使用される。具体的に、前記文字情報送信モードでは、後述のステップＳ２３〜Ｓ２７が実行される。
【００９４】
＜ステップＳ２３＞
ステップＳ２３において、前記制御部５は、前記画像処理装置１０の動作モードが文字情報送信モードに移行した旨をユーザーに通知する。具体的に、前記制御部５は、前記指点字パターンに従った前記圧電シート６３による一又は複数の前記部分領域６３Ａの振動によって前記文字情報送信モードに移行した旨をユーザーに通知する。なお、前記制御部５は、前記文字情報送信モードに移行した旨を前記画像処理装置１０に搭載されるスピーカー（不図示）を用いて音声によって通知することも考えられる。これにより、視覚障害者であるユーザーは、前記画像処理装置１０の動作モードが前記文字情報送信モードに切り替えられたことを認識することができる。
【００９５】
＜ステップＳ２４＞
ステップＳ２４において、前記制御部５は、前記ステップＳ１４と同様に、前記タッチパネル６１に対する前記指点字パターンに対応する押下操作に応じて文字を入力する。
【００９６】
（ステップＳ２５）
その後、ステップＳ２５において、前記制御部５は、前記タッチパネル６１から入力されるタッチ操作信号に基づいて、前記ステップＳ１５と同様の前記確定操作（図１２（Ｂ）参照）が行われたか否かを判断する。
【００９７】
ここで、前記確定操作が行われたと判断した場合（Ｓ２５のＹｅｓ側）、前記制御部５は処理をステップＳ２６に移行させる。一方、前記確定操作が行われていない場合（Ｓ２５のＮｏ側）、前記制御部５は処理をステップＳ２７に移行させる。これにより、前記ステップＳ２５において前記確定操作が行われたと判断するまでの間は（Ｓ２５のＮｏ側）、前記制御部５により前記タッチパネル６１に対する指点字パターンに従った文字入力（Ｓ２４）が実行される。
【００９８】
（ステップＳ２６）
そして、ステップＳ２６において、前記制御部５は、前記ステップＳ２４で入力された文字を確定させ、その文字情報を予め設定された宛先に前記通信網３０を介して送信する。例えば、前記制御部５は、前記ユーザーごとに予め登録された前記情報端末２０のメールアドレスにメールを送信する。これにより、前記情報端末２０では、ユーザーが前記画像処理装置１０で入力された前記文字情報を参照することができる。なお、前記ステップＳ２６において、前記メールアドレスなどの宛先が入力可能であることも考えられる。
【００９９】
例えば、前記制御部５は、前記メールアドレスを入力するための設定画面を前記操作表示部６のタッチパネル６１に表示させると共に、前記メールアドレスの入力を促すメッセージを前記圧電シート６３の前記部分領域６３Ａ各々の振動によってユーザーに通知する。そして、前記制御部５は、前記タッチパネル６１に対するユーザーの前記指点字パターンに従った操作に応じて前記メールアドレスを入力することが考えられる。また、前記ステップＳ２６では、前記通信網３０を介して接続された不図示のサーバーに前記文字情報が送信され、前記サーバーに前記文字情報が記憶されることも考えられる。
【０１００】
また、前記ステップＳ２６における前記文字情報の送信手法はメールに限らず、前記情報端末２０などの情報処理装置に前記文字情報を送信することができる手法であればよい。例えば、前記制御部５は、前記情報端末２０にインストールされている前記プリンタードライバーのエラー通知機能などを利用し、前記情報端末２０に前記文字情報をポップアップ画面で表示させることが考えられる。また、前記制御部５は、前記プリンタードライバーのネットワークスキャン機能を利用し、前記文字情報を画像データに変換してスキャン結果として前記情報端末２０に送信することも考えられる。
【０１０１】
（ステップＳ２７）
その後、ステップＳ２７において、前記制御部５は、前記タッチパネル６１から入力される押下操作信号に基づいて、前記圧電シート６３上の１０点の同時押下操作が２回連続して行われたか否かを判断する。ここで、１０点の同時押下操作が２回連続して行われたと判断した場合（Ｓ２７のＹｅｓ側）、前記制御部５は処理をステップＳ２８に移行させる。一方、１０点の同時押下操作が２回連続して行われていない場合（Ｓ２７のＮｏ側）、前記制御部５は処理を前記ステップＳ２４に戻す。
【０１０２】
＜ステップＳ２８＞
ステップＳ２８において、前記制御部５は、前記画像処理装置１０の動作モードを文字情報印刷モードに移行させる。即ち、前記制御部５は、前記圧電シート６３上の１０点の同時押下操作の検出に応じて、前記画像処理装置１０の動作モードを文字情報印刷モードに切り換える。ここに、係る処理は、前記制御部５の前記出力処理部５７によって実行される。前記文字情報印刷モードは、前記タッチパネル６１を用いて入力する文字情報を、前記画像形成部３で印刷するための動作モードである。例えば、前記文字情報印刷モードは、視覚障害者が前記画像処理装置１０を使用している場合に、紙詰まりなどのエラーが生じた場合に、その状況が印刷された印刷物を他のユーザーに見せて状況を伝えるために使用される。具体的に、前記文字情報印刷モードでは、後述のステップＳ２９〜Ｓ３３が実行される。
【０１０３】
＜ステップＳ２９＞
ステップＳ２９において、前記制御部５は、前記画像処理装置１０の動作モードが文字情報印刷モードに移行した旨をユーザーに通知する。具体的に、前記制御部５は、前記指点字パターンに従った前記圧電シート６３による一又は複数の前記部分領域６３Ａの振動によって前記文字情報印刷モードに移行した旨をユーザーに通知する。なお、前記制御部５は、前記文字情報印刷モードに移行した旨を前記画像処理装置１０に搭載されるスピーカー（不図示）を用いて音声によって通知することも考えられる。これにより、視覚障害者であるユーザーは、前記画像処理装置１０の動作モードが前記文字情報印刷モードに切り替えられたことを認識することができる。
【０１０４】
＜ステップＳ３０＞
ステップＳ３０において、前記制御部５は、前記ステップＳ１４と同様に、前記タッチパネル６１に対する前記指点字パターンに対応する押下操作に応じて文字を入力する。
【０１０５】
（ステップＳ３１）
その後、ステップＳ３１において、前記制御部５は、前記タッチパネル６１から入力されるタッチ操作信号に基づいて、前記ステップＳ１５と同様の前記確定操作（図１２（Ｂ）参照）が行われたか否かを判断する。
【０１０６】
ここで、前記確定操作が行われたと判断した場合（Ｓ３１のＹｅｓ側）、前記制御部５は処理をステップＳ３２に移行させる。一方、前記確定操作が行われていない場合（Ｓ３１のＮｏ側）、前記制御部５は処理をステップＳ３３に移行させる。これにより、前記ステップＳ３１において前記確定操作が行われたと判断するまでの間は（Ｓ３１のＮｏ側）、前記制御部５により前記タッチパネル６１に対する指点字パターンに従った文字入力（Ｓ３０）が実行される。
【０１０７】
（ステップＳ３２）
そして、ステップＳ３２において、前記制御部５は、前記ステップＳ３０で入力された文字を確定させ、その文字情報に基づいて前記画像形成部３を用いた画像形成処理を実行する。これにより、前記画像処理装置１０で入力された前記文字情報を印刷物として得ることができ、その内容を健常者に確認させることが可能になる。なお、前記ステップＳ３２では、前記文字情報を印刷するための各種の印刷条件の設定も行われる。
【０１０８】
例えば、前記制御部５は、前記印刷条件を設定するための設定画面を前記操作表示部６のタッチパネル６１に表示させると共に、前記ステップＳ１９と同様に、前記印刷条件に関する操作情報を前記圧電シート６３の前記部分領域６３Ａ各々の振動によってユーザーに通知する。そして、前記制御部５は、前記タッチパネル６１に対するユーザーの前記指点字パターンに従った操作に応じて前記印刷条件を設定することが考えられる。
【０１０９】
（ステップＳ３３）
その後、ステップＳ３３において、前記制御部５は、前記タッチパネル６１から入力される押下操作信号に基づいて、前記圧電シート６３上の１０点の同時押下操作が２回連続して行われたか否かを判断する。ここで、１０点の同時押下操作が２回連続して行われたと判断した場合（Ｓ３３のＹｅｓ側）、前記制御部５は処理を前記ステップＳ１９に移行させる。一方、１０点の同時押下操作が２回連続して行われていない場合（Ｓ３３のＮｏ側）、前記制御部５は処理を前記ステップＳ３０に戻す。
【０１１０】
［受信表示処理］
続いて、図９を参照しつつ、前記制御部５により実行される受信表示処理の手順の一例について説明する。前記制御部５は、前記受信表示処理を前記モード切替処理及び前記指点字操作処理と略並行して実行する。
【０１１１】
＜ステップＳ４１＞
ステップＳ４１において、前記制御部５は、前記画像処理装置１０の前記操作表示部６の現在の入力モードが前記指点字モードであるか否かを判断する。ここで、前記制御部５は、前記入力モードが前記指点字モードであると判断すると（Ｓ４１のＹｅｓ側）、処理をステップＳ４２に移行させる。なお、前記制御部５は、前記入力モードが前記指点字モードでなければ（Ｓ４１のＮｏ側）、処理を前記ステップＳ４１で待機させる。
【０１１２】
＜ステップＳ４２＞
ステップＳ４２において、前記制御部５は、前記情報端末２０などの外部端末から文字情報を受信したか否かを判断する。なお、前記情報端末２０から前記画像処理装置１０への前記文字情報の送信は、例えば前記プリンタードライバーの機能を使用して行われ、又はメール送信によって行われる。ここで、前記制御部５は、前記文字情報を受信したと判断すると（Ｓ４２のＹｅｓ側）、処理をステップＳ４３に移行させる。なお、前記制御部５は、前記文字情報を受信していない場合は（Ｓ４２のＮｏ側）、処理を前記ステップＳ４１に戻す。
【０１１３】
＜ステップＳ４３＞
ステップＳ４３において、前記制御部５は、前記文字情報を受信した旨をユーザーに通知する。具体的に、前記制御部５は、前記ステップＳ１２と同様に、前記指点字パターンに従った前記圧電シート６３による一又は複数の前記部分領域６３Ａの振動によって前記文字情報を受信した旨をユーザーに通知する。これにより、視覚障害者であるユーザーは、前記文字情報を受信した旨を認識することができる。また、前記制御部５が、前記タッチパネル６１におけるユーザーの全ての指に対応する前記部分領域６３Ａを同時に一度又は二度振動させることにより、前記文字情報の受信をユーザーに通知することも考えられる。
【０１１４】
＜ステップＳ４４＞
そして、ステップＳ４４において、前記制御部５は、前記文字情報の内容をユーザーに通知する。具体的に、前記制御部５は、前記ステップＳ１２と同様に、前記指点字パターンに従った前記圧電シート６３による一又は複数の前記部分領域６３Ａの振動によって前記文字情報の内容をユーザーに通知する。このように、前記制御部５は、前記タッチパネル６１で予め定められた数の前記タッチ操作が同時に検出されている場合に（Ｓ４１のＹｅｓ側）、前記文字情報を前記指点字パターンに従った一又は複数の指の位置に対応する前記圧電シート６３の前記部分領域６３Ａの振動によって前記文字情報を表示する。これにより、視覚障害者であるユーザーは、前記文字情報の内容を認識することができ、前記情報端末２０のユーザーとの間でコミュニケーションを図ることが可能となる。
【０１１５】
［文字情報送受信処理］
続いて、図１０を参照しつつ、前記情報端末２０の前記制御部２１により実行される文字情報送受信処理の手順の一例について説明する。前記文字情報送受信処理は、前記制御部２１により前記プリンタードライバーに従って実行される処理である。
【０１１６】
＜ステップＳ５１＞
ステップＳ５１において、前記制御部２１は、前記画像処理装置１０から文字情報を受信したか否かを判断する。なお、前記画像処理装置１０から前記情報端末２０への前記文字情報の送信は、前述したように、例えば前記プリンタードライバーの機能を使用して行われ、又はメール送信によって行われる。ここで、前記制御部２１は、前記文字情報を受信したと判断すると（Ｓ５１のＹｅｓ側）、処理をステップＳ５１１に移行させる。なお、前記制御部２１は、前記文字情報を受信していない場合は（Ｓ５１のＮｏ側）、処理をステップＳ５２に戻す。
【０１１７】
＜ステップＳ５１１＞
ステップＳ５１１において、前記制御部２１は、前記文字情報を前記表示部２４に表示させる。例えば、前記文字情報は、前記表示部２４の表示画面にポップアップ画面で表示される。これにより、前記情報端末２０のユーザーは、前記画像処理装置１０で視覚障害者が入力した文字情報を認識することができる。
【０１１８】
＜ステップＳ５２＞
ステップＳ５２において、前記制御部２１は、前記画像処理装置１０に文字情報を送信する送信開始操作が前記操作部２３に対して行われたか否かを判断する。例えば、前記送信開始操作は、前記制御部２１によりプリンタードライバーが実行されることにより前記表示部２４に表示されるプリンター操作画面に表示された送信開始キーの操作によって行われる。
【０１１９】
ここで、前記制御部２１は、前記送信開始操作が行われたと判断すると（Ｓ５２のＹｅｓ側）、処理をステップＳ５３に移行させる。なお、前記制御部２１は、前記送信開始操作が行われていない場合は（Ｓ５２のＮｏ側）、処理を前記ステップＳ５１に戻す。
【０１２０】
＜ステップＳ５３＞
ステップＳ５３において、前記制御部２１は、前記操作部２３による文字情報の入力操作を受け付ける。そして、前記文字情報の入力の確定操作が行われると、処理がステップＳ５４に移行する。
【０１２１】
＜ステップＳ５４＞
ステップＳ５４において、前記制御部２１は、前記ステップＳ５３で入力された文字情報を前記画像処理装置１０に送信する。これにより、前記画像処理装置１０が、前記指点字モードである場合は、前記画像処理装置１０で実行される前記受信表示処理（図９参照）により前記文字情報が視覚障害者に対して通知され、視覚障害者は、前記情報端末２０から送信された前記文字情報の内容を認識することができる。例えば、前記制御部２１は、前記文字情報を汎用のメールソフトによって前記画像処理装置１０にメールとして送信することが考えられる。また、前記制御部２１が実行する前記プリンタードライバーに前記文字情報の送信機能が搭載されていることも考えられる。
【０１２２】
以上説明したように、前記画像処理システム１００では、従来のように指点字専用の特殊な装置を使用することなく、前記タッチパネル６１を利用して、前記画像処理装置１０のユーザーである視覚障害者と前記情報端末２０のユーザーである健常者との間のコミュニケーションを図ることができる。また、前記画像処理装置１０では、従来のように指点字専用の特殊な装置を使用することなく、前記タッチパネル６１を使用して指点字でログインの操作を行うことが可能である。
【０１２３】
なお、本実施の形態では、前記タッチパネル６１のタッチ操作と押下操作とを区別しており、前記押下操作に応じて文字情報の入力が行われる場合を例に挙げて説明した。一方、前記操作表示部６が前記圧電シート６３を備えておらず、前記制御部５が前記タッチパネル６１のタッチ操作に応じて文字情報を入力することも他の実施形態として考えられる。この場合、前記画像処理装置１０における視覚障害者への情報の通知は、前記画像処理装置１０に搭載されるスピーカー（不図示）からの音声出力によって行われることが考えられる。
【符号の説明】
【０１２４】
１  ：ＡＤＦ
２  ：画像読取部
３  ：画像形成部
４  ：給紙部
５  ：制御部
６  ：操作表示部
６１：タッチパネル
６１Ａ：操作可能領域
６２：操作ボタン
６３：圧電シート
６３Ａ：部分領域
Ｓ１、Ｓ２、・・・：処理手順（ステップ）番号
１０：画像処理装置
２０：情報端末
３０：通信網
１００：画像処理システム
【図１】
2015064815.tif 000003
【図２】
2015064815.tif 000004
【図３】
2015064815.tif 000005
【図４】
2015064815.tif 000006
【図５】
2015064815.tif 000007
【図６】
2015064815.tif 000008
【図７】
2015064815.tif 000009
【図８】
2015064815.tif 000010
【図９】
2015064815.tif 000011
【図１０】
2015064815.tif 000012
【図１１】
2015064815.tif 000013
【図１２】
2015064815.tif 000014
【図１３】
2015064815.tif 000015
【図１４】
2015064815.tif 000016